(57)【要約】【課題】小型であっても文字入力を容易に行うことができる携帯機器を提供する。【解決手段】表示手段（２）と、表示手段に表示される画面上の所望の位置を指定するポインティングデバイス（３）と、ポインティングデバイスからの入力に応じて表示手段に表示される画面を変更する制御手段（４）とを備え、表示手段は、ポインティングデバイスにより選択可能な文字及びコマンドを含む文字配列表の少なくとも一部を表示する文字選択領域（２２）と、文字選択領域で選択、確定された文字又は文字列、あるいは前回選択、確定された入力候補に応じて選択された、ポインティングデバイスにより選択可能な単語、文節、記号等の入力候補の少なくとも一部を表示する単語・文節選択領域（２３）と、カーソル位置に、単語・文節選択領域において選択、確定された入力候補が表示される文章入力領域（２１）とを表示する。【選択図】図２
2009251808.tif 000002
【特許請求の範囲】
【請求項１】
文字を入力するための文字選択領域および単語・文節選択領域と入力された文字を表示するための文章入力領域とを表示する表示手段と、
前記表示手段に表示される画面上の所望の位置を指定するポインティングデバイスと、
前記ポインティングデバイスからの入力に応じて前記表示手段に表示される画面を変更する制御手段とを備え、
前記文字選択領域は、前記ポインティングデバイスにより選択可能な文字及びコマンドを含む文字配列表の少なくとも一部を表示し、
前記単語・文節選択領域は、前記文字選択領域で選択、確定された文字又は文字列、あるいは前回選択、確定された入力候補に応じて選択された、前記ポインティングデバイスにより選択可能な単語、文節、記号等の入力候補の少なくとも一部を表示し、
前記文章入力領域のカーソル位置に、前記単語・文節選択領域において選択、確定された入力候補が表示されることを特徴とする携帯機器。
【請求項２】
前記文字配列表の前記文字選択領域において表示される範囲を、前記文字選択領域における前記ポインティングデバイスによる操作によって変更できることを特徴とする請求項１に記載の携帯機器。
【請求項３】
前記入力候補の前記単語・文節選択領域において表示される範囲を、前記単語・文節選択領域における前記ポインティングデバイスによる操作によって変更できることを特徴とする請求項１又は２に記載の携帯機器。
【請求項４】
前記文章入力領域のカーソル位置を、前記文章入力領域における前記ポインティングデバイスによる操作によって変更できることを特徴とする請求項１乃至３のいずれか１項に記載の携帯機器。
【請求項５】
複数の前記文字配列表を切り替えて前記文字選択領域に表示できることを特徴とする請求項１乃至４のいずれか１項に記載の携帯機器。
【請求項６】
前記表示手段とポインティングデバイスを一体のタッチパネルとして構成したことを特徴とする請求項１乃至５のいずれか１項に記載の携帯機器。
【請求項７】
前記文字選択領域における文字及びコマンドの選択を、前記文字選択領域における予め決められた時間より短いタッチ押下によって行い、前記単語・文節選択領域における入力候補の選択を、前記単語・文節選択領域における前記予め決められた時間より短いタッチ押下によって行うことを特徴とする請求項６に記載の携帯機器。
【請求項８】
前記文字配列表の前記文字選択領域において表示される範囲を、前記文字選択領域における予め決められた時間より長いタッチ押下の位置及び移動方向によって変更することを特徴とする請求項６又は７に記載の携帯機器。
【請求項９】
表示手段と、前記表示手段に表示される画面上の所望の位置を指定するポインティングデバイスとを備える携帯機器において文字入力を行う方法であって、
前記表示手段に、前記ポインティングデバイスにより選択可能な文字及びコマンドを含む文字配列表の少なくとも一部を表示する文字選択領域を表示するステップと、
前記表示手段に、前記文字選択領域で選択、確定された文字又は文字列、あるいは前回選択、確定された入力候補に応じて選択された、前記ポインティングデバイスにより選択可能な単語、文節、記号等の入力候補の少なくとも一部を表示する単語・文節選択領域を表示するステップと、
カーソル位置に、前記単語・文節選択領域において選択、確定された入力候補を表示する文章入力領域を表示するステップとを含むことを特徴とする文字入力方法。
【発明の詳細な説明】
【技術分野】
【０００１】
本発明は、携帯機器に関し、例えば、ポインタデバイスを搭載し、文字入力を行うことができる携帯機器機器に関する。本発明は、文字入力方法にも関する。
【背景技術】
【０００２】
携帯電話、ＰＤＡ（Personal Digital Assistant）端末、映像表示機能付きミュージックプレイヤー等の携帯機器上で文字入力を行う方法としては、例えば以下のようなものが存在している。図１２に示す従来の携帯電話１１０１では、ハードウェアキー１１０２の押下によって文字入力を行う。図１３に示す従来の携帯機器１２０１では、タッチパネル付き画面上のソフトウェアキーボード（仮想キーボード）１２０２へのタッチ操作によって文字入力を行う。図１４に示す従来の携帯機器１３０１では、タッチパネル付き画面上の手書き文字認識領域１３０２への手書き文字入力によって文字入力を行う。
【０００３】
一方で、昨今の携帯機器の小型化に伴い、ハードウェアキー自体も同時に小さくなり、また、液晶画面自体も小さくなってきている。
【０００４】
携帯機器の小型化に伴うハードウェアキーの小型化や、液晶画面の小型化に伴うソフトウェアキーの小型化により、ユーザが１文字１文字を入力するのが困難になっているという問題がある。また、手書き文字認識を行う場合にも、入力部の面積が小さくなるなどして、ユーザが手書き文字入力をしづらくなり、認識率が低下するなどの問題がある。
【０００５】
このような問題を解決する手段として、特許文献１では、選択した文字周辺を拡大表示し、入力補助を行う装置および方法が開示されている。
【０００６】
【特許文献１】特開２００５−１８２４８７号公報
【発明の開示】
【発明が解決しようとする課題】
【０００７】
しかしながら、特許文献１に記載の装置および方法では、そもそもの仮想キーボード上の文字が小さかったり、文字入力をしようとするユーザの指が大きかったりする場合、入力しようとする文字を正しく選ぶことが困難になるといった問題がある。
【０００８】
本発明は、このような実情を鑑みてなされたものであり、小型であっても文字入力を容易に行うことができる携帯機器を提供する。
【課題を解決するための手段】
【０００９】
本発明の携帯機器は、文字を入力するための文字選択領域および単語・文節選択領域と入力された文字を表示するための文章入力領域とを表示する表示手段と、前記表示手段に表示される画面上の所望の位置を指定するポインティングデバイスと、前記ポインティングデバイスからの入力に応じて前記表示手段に表示される画面を変更する制御手段とを備え、前記文字選択領域は、前記ポインティングデバイスにより選択可能な文字及びコマンドを含む文字配列表の少なくとも一部を表示し、前記単語・文節選択領域は、前記文字選択領域で選択、確定された文字又は文字列、あるいは前回選択、確定された入力候補に応じて選択された、前記ポインティングデバイスにより選択可能な単語、文節、記号等の入力候補の少なくとも一部を表示し、前記文章入力領域のカーソル位置に、前記単語・文節選択領域において選択、確定された入力候補が表示されることを特徴とする。
【００１０】
前記文字配列表の前記文字選択領域において表示される範囲を、前記文字選択領域における前記ポインティングデバイスによる操作によって変更できるようにしてもよい。
【００１１】
前記入力候補の前記単語・文節選択領域において表示される範囲を、前記単語・文節選択領域における前記ポインティングデバイスによる操作によって変更できるようにしてもよい。
【００１２】
前記文章入力領域のカーソル位置を、前記文章入力領域における前記ポインティングデバイスによる操作によって変更できるようにしてもよい。
【００１３】
複数の前記文字配列表を切り替えて前記文字選択領域に表示できるようにしてもよい。
【００１４】
前記表示手段とポインティングデバイスを一体のタッチパネルとして構成してもよい。
【００１５】
前記文字選択領域における文字及びコマンドの選択を、前記文字選択領域における予め決められた時間より短いタッチ押下によって行い、前記単語・文節選択領域における入力候補の選択を、前記単語・文節選択領域における前記予め決められた時間より短いタッチ押下によって行うようにしてもよい。
【００１６】
前記文字配列表の前記文字選択領域において表示される範囲を、前記文字選択領域における予め決められた時間より長いタッチ押下の位置及び移動方向によって変更するようにしてもよい。
【発明の効果】
【００１７】
本発明の携帯機器は、小型であっても文字入力を容易に行うことができる。
【発明を実施するための最良の形態】
【００１８】
図１は、本発明の携帯機器の構成の一例を示すブロック図である。携帯機器１は、表示部２と、ポインティングデバイス３と、制御部４とを備える。表示部２は、制御部４の表示制御部５の制御の下で、後述する文字入力のための表示画面と、入力された文字列とを表示する。ポインティングデバイス３は、ユーザによって操作され、表示部２において表示される文字入力のための表示画面において、所望の文字の選択、変換等の制御入力が行われる。制御部４の入力制御部６は、辞書を備え、ポインティングデバイス３による選択動作にしたがって仮名漢字変換などを行うことによって入力文字又は文字列を確定し、表示制御部５に送る。表示部２とポインティングデバイス３を統合し、タッチパネルとして構成してもよい。
【００１９】
図２は、本発明の携帯機器の表示手段に表示される文字入力画面の構成の一例を示す図である。文字入力画面は、ユーザが入力した文章を表示する文字入力領域２１と、所望の文字を指定、入力するための文字選択領域２２と、文字選択領域２２で指定された文字又は文字列、あるいは前回選択された内容から、ユーザが入力しようとしていると予測される仮名、漢字、文節、記号などの入力候補を表示、選択させるための単語・文節選択領域２３とを含む。文字選択領域２２には、例えば、選択可能な文字と、文字種類の変更、文字の削除、改行、確定、後退等を行うためのコマンドとを含む文字配列表の少なくとも一部が表示される。
【００２０】
文字選択領域２２に表示される文字配列表は、例えば、図３に示すようなものである。図３では、選択可能な文字は平仮名である。これらの選択可能な文字およびコマンドの一部のみを文字選択領域２２に表示させることにより、狭い領域における表示でも見やすく、かつ、各項目を選択しやすくすることができる。また、後述するようにコマンド「文字種類」を選択することにより、選択しうる文字の文字配列表を変更することができる。図４は、英数字の文字配列表を示す。その他、片仮名や記号、絵文字などの文字配列表を用意してもよい。
【００２１】
図２に示す例では、文字選択領域２２において「あ」が選択されている。単語・文節選択領域２３においては、文字選択領域２２において選択されている「あ」に対応する入力候補が表示される。このとき、文字入力領域２１には、未確定文字として「あ」が表示される。
【００２２】
図５は、本発明の携帯機器における文字入力動作の一例を説明するフローチャートである。図１に示す携帯機器において、表示部２とポインティングデイバイス３を一体のタッチパネル２’とした場合を例として説明する。図５における各ステップは、制御部４における表示制御部５及び入力制御部６が行う。
【００２３】
ステップＳ１０１において、タッチパネル２’においてユーザによるタッチ押下がなされたことを検出する。ステップＳ１０２において、制御部３の入力制御部４は、なされたタッチ押下の座標位置が文字選択領域２２内かどうかを判定し、文字選択領域２２内の場合はステップＳ１０３に、文字選択領域２２外の場合はステップＳ１１２に進む。
【００２４】
ステップＳ１０３において、ユーザがタッチ押下している時間Ｔｔに応じて、短押しか長押しかを判定する。短押しか長押しかは以下の式によって決定する。
【００２５】
Ｔｔ＜Ｔｓ                                                （１）
【００２６】
ここで、Ｔｓは予め設定された定数である。式（１）を満たせば短押しと判定し、ステップＳ１０４に進み、満たさなければ長押しと判定し、ステップＳ１１０に進む。
【００２７】
ステップＳ１１０において、すなわち、文字選択領域２２内で長押しが行われた場合、タッチ時間と、タッチ押下時の座標及び離した時の座標とに応じて、文字選択領域２２における文字配列の表示範囲を変更する。図２、図３、図６及び図７を参照してこのような表示範囲変更処理について説明する。
【００２８】
図３を参照して説明したように、文字選択領域２２には、コマンドを含む選択可能な文字の文字配列表の一部のみが表示される。コマンドを含む文字配列表のうち文字選択領域２２に表示される表示範囲を、文字選択領域２２の長押しによって変更することができる。ここで、図２に示すような「あ」が中心にある状態から、「か」が中心にある状態に表示範囲を変更したいとすると、図６に示すような長押しを行う。図６において、位置２４が長押し開始位置、位置２５が長押し終了位置である。
【００２９】
図３の文字配列表において、横軸をｘ軸、縦軸をｙ軸として、各文字及びコマンドの位置は座標（ｘ，ｙ）によって表される。現在の文字選択領域２２における表示範囲の中心（ここでは「あ」）の表示位置（Ｘｐ，Ｙｐ）と、長押しによる表示範囲の移動量（Ｘｍ，Ｙｍ）は、長押し開始位置２４の座標（ｘｓ，ｙｓ）および長押し終了位置２５の座標（ｘｅ，ｙｅ）を用いて以下の式（２）で決定される。
【００３０】
Ｘｍ＝（ｉｎｔ）｛（ｘｅ−ｘｓ）／ｘ０｝
Ｙｍ＝（ｉｎｔ）｛（ｙｅ−ｙｓ）／ｙ０｝                    （２）
【００３１】
ここで、ｘ０およびｙ０は予め定められた定数、(ｉｎｔ)は計算結果を整数化する演算であるとする。長押しによって移動した表示範囲の中心は、（Ｘｐ−Ｘｍ，Ｙｐ−Ｙｍ）となる。
【００３２】
ここで、Ｘｐ−Ｘｍが文字配列表の幅より大きいな値になった場合には、文字配列表の幅Ｗｃを引いた値Ｘｐ−Ｘｍ−Ｗｃを表示範囲の中心のｘ値とする。Ｘｐ−Ｘｍが負の値になった場合には、文字配列表の幅Ｗｃを加えた値Ｘｐ−Ｘｍ＋Ｗｃを表示範囲の中心のｘ値とする。Ｙｐ−Ｙｍが文字配列表の幅より大きいな値になった場合には、文字配列表の高さＨｃを引いた値Ｙｐ−Ｙｍ−Ｈｃを表示範囲の中心のｙ値とする。Ｙｐ−Ｙｍが負の値になった場合には、文字配列表の高さＨｃを加えた値Ｙｐ−Ｙｍ＋Ｈｃを表示範囲の中心のｙ値とする。
【００３３】
ここで、文字配列表の幅Ｗｃ、高さＨｃは、現在表示している文字種類に応じた文字配列表毎に変更されてもよい。図３に示す平仮名の文字配列表の例では、Ｗｃ＝１０、Ｈｃ＝５、図４に示す英数字の文字配列表の例では、Ｗｃ＝１５、Ｈｃ＝５となる。
【００３４】
図６に示す長押しは、移動が横方向であり、文字配列上の移動量が（−１，０）であるため、長押しによって移動する表示範囲の中心は、（Ｘｐ＋１，Ｙｐ）となり、図７に示すように中心文字は図３の文字配列表における「か」に移動することになる。
【００３５】
ｘ方向の移動量がｘ０以上ない場合、ｙ方向の移動量がｙ０以上ない場合は、文字選択領域２２の表示範囲の中心文字は変更されない。
【００３６】
ステップＳ１１０における文字表示範囲変更処理が行われた後、動作を終了し、次のタッチ押下を待つことになる。
【００３７】
ステップＳ１０３で文字選択領域２２におけるタッチ押下が短押しだと判定された場合、ステップＳ１０４において、文字選択領域２２において短押しされた文字あるいはコマンドが選択状態にあるかどうかを判定し、選択状態にある場合はステップＳ１０５に進み、選択状態にない場合はステップＳ１０９に進む。
【００３８】
図８は、文字選択領域２２において文字あるいはコマンドが選択状態にない場合、図９は、文字選択領域２２において文字あるいはコマンドが選択状態にある場合を示す。短押しされた文字あるいはコマンドが選択状態にある場合、図９に示すように、選択状態にある文字あるいはコマンド２７は、他の文字あるいはコマンドに対して背景色と文字色を反転するなどして強調されて表示される。文字あるいはコマンドが選択状態にない場合、図８に示すように、文字あるいはコマンド２６のように、他の文字あるいはコマンドと同じように表示される。
【００３９】
文字選択領域２２において短押しされた文字あるいはコマンドが選択状態にない場合、ステップＳ１０９において、当該文字あるいはコマンドを選択状態にする処理を行い、動作を終了し、次のタッチ押下を待つことになる。
【００４０】
文字選択領域２２において短押しされた文字あるいはコマンドが選択状態にある場合、ステップＳ１０５において、選択状態にある文字あるいはコマンドが、文字であるかコマンドであるかを判定し、文字である場合はステップＳ１０６に、コマンドである場合にはステップＳ１０８に進む。
【００４１】
文字選択領域２２において短押しされたのが文字であり、かつ、選択状態にある場合、ステップＳ１０６において、選択状態にある文字を文章入力領域２１のカーソル位置に文字を追加する。具体的には、図９に示すように、文字選択領域２２において選択状態にある文字「あ」が、文章入力領域２１のカーソル位置に表示される。
【００４２】
ステップＳ１０６における処理の後、ステップＳ１０７において、これまでに入力されている未確定の文字列に今回追加された文字を加えた文字列からユーザが入力しようとしていると予測される単語、文節、記号等の候補のリストを、単語・文節選択領域２３に表示する。具体的には、図９に示すように、文字選択領域２２において選択状態にある文字「あ」から予測される候補、「あ」、「ア」、「明日」が、単語・文節選択領域２３に表示されれる。ステップＳ１０７の処理の後、動作を終了し、次のタッチ押下を待つことになる。
【００４３】
文字選択領域２２において短押しされたのがコマンドであり、かつ、選択状態にある場合、選択状態にあるコマンドに応じた処理を行う。
【００４４】
例えば、コマンド「削除」が選択されている場合、文字入力領域２１中のカーソル位置の右にある文字を削除して文字入力領域２１における表示を更新する。この更新によって未確定文字列に変更が生じた場合には、単語・文節選択領域２３における入力候補の表示も、変更された未確定文字列に応じて変更する。
【００４５】
コマンド「後退」が選択されている場合、文字入力領域２１中のカーソル位置の左にある文字を削除して文字入力領域２１における表示を更新する。この更新によって未確定文字列に変更が生じた場合には、単語・文節選択領域２３における入力候補の表示も、変更された未確定文字列に応じて変更する。
【００４６】
コマンド「改行」が選択されている場合、文字入力領域２１中のカーソル位置で改行を入れ、未確定文字列がある場合は確定し、文字入力領域２１における表示を更新する。この更新によって未確定文字列に変更が生じた場合には、単語・文節選択領域２３における入力候補の表示も、変更された未確定文字列に応じて変更する。
【００４７】
コマンド「確定」が選択されている場合、文字入力領域２１中の未確定文字列を確定し、文字入力領域２１における表示を更新する。制御部４の入力制御部６が備える辞書に従い、確定した未確定文字列に引き続きユーザが入力すると予測される単語、文節、記号等の入力候補がある場合は、単語・文節選択領域２３の表示を更新し、それらの入力候補を表示する。
【００４８】
コマンド「文字種類」が選択されている場合、上述したように、文字選択領域２２に表示される文字配列表を、図３や図４に示すような平仮名や英数字に順次に変更する。
【００４９】
ステップＳ１０８でコマンドに応じた処理を行った後、動作を終了し、次のタッチ押下を待つことになる。
【００５０】
ステップＳ１０２でタッチ押下された位置の座標が文字選択領域２２内でないと判定した場合、ステップＳ１１１において、タッチ押下された位置の座標が単語・文節選択領域２３内かどうかを判定し、単語・文節選択領域２３内の場合はステップＳ１１２に進み、単語・文節選択領域２３内でない場合はステップステップＳ１１８に進む。
【００５１】
単語・文節選択領域２３内でタッチ押下された場合、ステップＳ１１２において、なされたタッチ押下が短押しか長押しかを判定する。この判定は、ステップＳ１０３で行ったのと同様に、式（１）に従って行ってもよい。短押しの場合はステップＳ１１３に、長押しの場合はステップＳ１１７に進む。
【００５２】
単語・文節選択領域２３において長押しのタッチ押下がなされた場合、ステップＳ１１７において、単語・文節選択領域２３に表示されている入力候補の表示範囲の変更を行う。入力候補が多い場合、単語・文節選択領域２３にはその一部のみが表示される。例えば、図９に示す例では、単語・文節選択領域２３には３つの入力候補しか表示されない。単語・文節選択領域２３に一度に表示できる数以上の入力候補がある場合、ステップＳ１１０において行った文字選択領域２２の文字表示範囲の変更と同様に、長押しの移動方向及び移動量に基づいて表示範囲を変更する。ステップＳ１１７で単語・文節選択領域２３の表示範囲を変更した後、動作を終了し、次のタッチ押下を待つことになる。
【００５３】
単語・文節選択領域２３において短押しのタッチ押下がなされた場合、ステップＳ１１３において、単語・文節選択領域２３において短押しされた入力候補が選択状態にあるかどうかを判定し、選択状態にある場合はステップＳ１１４に、選択状態にない場合はステップＳ１１６に進む。
【００５４】
図９は、単語・文節選択領域２３において入力候補が選択状態にない場合、図１０は、単語・文節選択領域２３において入力候補が選択状態にある場合を示す。単語・文節選択領域２３において短押しされた入力候補が選択状態にない場合、図９に示すようにすべての入力候補は同様に表示される。単語・文節選択領域２３において短押しされた入力候補が選択状態にある場合、例えば、図９に示すように、選択状態にある入力候補２８の「明日」は、他の入力候補に対して背景色と文字色を反転するなどして強調されて表示される。
【００５５】
単語・文節選択領域２３において短押しされた入力候補が選択状態にない場合、ステップＳ１１６において、当該入力候補を選択状態にする処理を行い、動作を終了し、次のタッチ押下を待つことになる。
【００５６】
単語・文節選択領域２３において短押しされた入力候補が選択状態にある場合、ステップＳ１１４において、文章入力領域２１の未確定文字列を単語・文節選択領域２３において選択されている入力候補に置換して確定し、文書入力領域２１の表示を更新する。具体的には、例えば図５に示すように、単語・文節選択領域２３において短押しされた選択状態にある入力候補２８の「明日」は、図４に示すような文書入力領域２１の未確定文字列「あ」に置き換わって確定され、表示される。
【００５７】
ステップＳ１１４の入力候補置換処理の後、ステップＳ１１５において、文字入力領域２１において確定、表示された入力候補に続いてユーザが入力すると予測される単語、文節、記号、助詞等が新たな入力候補として表示されるように、単語・文節選択領域２３の表示を更新する。ステップＳ１１５において単語・文節選択領域２３の表示を更新した後、動作を終了し、次のタッチ押下を待つことになる。
【００５８】
ステップＳ１１１でタッチ押下された位置の座標が単語・文節選択領域２３内でなかった場合、ステップＳ１１８において、タッチ押下された位置の座標が文章入力領域２１内かどうかを判定し、文章入力領域２１内の場合はステップＳ１１９に進み、文章入力領域２１内でない場合は動作を終了する。
【００５９】
ステップＳ１１９において、文章入力領域２１におけるカーソル位置を、タッチ押下された位置の座標に移動し、文章入力領域２１の表示を更新する。未確定文字列がある場合、カーソルの移動が未確定文字列内から未確定文字列以外の位置への移動ならば、カーソルを移動すると共に未確定文字列を確定し、文章入力領域２１の表示を更新する。さらに、移動したカーソルの位置に応じた新たな入力候補が表示されるように単語・文節領域２３の表示を更新する。カーソルの移動が未確定文字列内の移動ならば、未確定文字列は確定しないままカーソルを移動して文章入力領域２１の表示を更新すると共に、移動したカーソルの位置に応じた新たな入力候補が表示されるように単語・文節領域２３の表示を更新する。ステップＳ１１９の終了後、動作を終了し、次のタッチ押下を待つことになる。
【００６０】
以上、本発明の一実施の形態について説明したが、本発明の携帯機器はこのような実施の形態に限定されず、文字選択領域に表示しうる文字数や、携帯機器の表示画面上の各領域の配置などに関しては、特に制限はない。例えば、図１１に示すように、文章入力領域３１、文字選択領域３２、単語・文節選択領域３３を配置して、文字選択領域３２を広くし、表示しうる文字数を増やしてもよい。また、単語・文節選択領域における表示を複数列にし、選択できる入力候補を増やしてもよい。
【００６１】
また、上記実施の形態では、ポインティングデバイスと表示部を一体のタッチパネルとし、表示画面上の位置を直接指定できるようにした場合について説明したが、表示部とポインティングデバイスを分離し、表示部にポインティングカーソルを表示し、そのポインティングカーソル位置を変更可能なタッチパッドのようなポインティングデバイスを使用するようにしてもよい。
【００６２】
以上説明したように、本発明によれば、文字選択領域には文字配列表の一部を表示すればよいため、ユーザが入力しようとする文字を大きく表示することができ、ユーザが選択する際の入力誤りの危険性を低下させることができ、小型の携帯機器上での所望の文字の入力を容易に行うことができるようになる。
【００６３】
また、文字選択領域は、ユーザの意図するように文字配列表の表示部分を指定することができるため、文字配列表全体を表す大型のソフトウェアキーボードを小型の携帯機器の表示画面上に実装したものと同様の効果が得られる。
【００６４】
また、入力された文字から予測される単語・文節を表示する単語・文節変換領域を設けることにより、ハードウェアキーを備える携帯機器と同様の文章の入力のしやすさを実現することができる。
【００６５】
さらに、複雑な日本語の文章などを、ハードウェアキーを利用することなく入力することができるため、高機能な携帯機器からハードウェアキー部分を除き、さらに小型化を図ることが可能になる。
【産業上の利用可能性】
【００６６】
本発明は、携帯機器において利用可能である。
【図面の簡単な説明】
【００６７】
【図１】本発明の携帯機器の構成の一例を示すブロック図である。
【図２】本発明の携帯機器の表示手段に表示される文字入力画面の構成の一例を示す図である。
【図３】文字配列表の一例を示す図である。
【図４】文字配列表の他の例を示す図である。
【図５】本発明の携帯機器における文字入力動作の一例を説明するフローチャートである。
【図６】長押しのタッチ押下を説明する図である。
【図７】文字選択領域に表示される表示範囲の変更を説明する図である。
【図８】文字選択領域において文字あるいはコマンドが選択状態にない場合を示す図である。
【図９】文字選択領域において文字あるいはコマンドが選択状態にあり、単語・文節選択領域において入力候補が選択状態にない場合を示す図である。
【図１０】単語・文節選択領域において入力候補が選択状態にある場合を示す図である。
【図１１】本発明の携帯機器の表示手段に表示される文字入力画面の構成の他の例を示す図である。
【図１２】従来の携帯機器を示す図である。
【図１３】従来の携帯機器を示す図である。
【図１４】従来の携帯機器を示す図である。
【符号の説明】
【００６８】
１  携帯機器
２  表示部
３  ポインティングデバイス
４  制御部
５  表示制御部
６  入力制御部
２１  文字入力領域
２２  文字選択領域
２３  単語・文節選択領域
【図１】
2009251808.tif 000003
【図２】
2009251808.tif 000004
【図３】
2009251808.tif 000005
【図４】
2009251808.tif 000006
【図５】
2009251808.tif 000007
【図６】
2009251808.tif 000008
【図７】
2009251808.tif 000009
【図８】
2009251808.tif 000010
【図９】
2009251808.tif 000011
【図１０】
2009251808.tif 000012
【図１１】
2009251808.tif 000013
【図１２】
2009251808.tif 000014
【図１３】
2009251808.tif 000015
【図１４】
2009251808.tif 000016